【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
拡張された構成にあって生体に対して回転されるときに当該生体内の組織を破壊するように構成された拡張可能部材と、
前記拡張可能部材に結合されたアクチュエータであって、当該拡張可能部材を前記拡張された構成にバイアスするように構成され、当該アクチュエータが作動されるとき当該拡張可能部材を縮退された構成に移動させるように構成されるアクチュエータと
を備える、装置。
【請求項２】
請求項１記載の装置において、
前記拡張可能部材は第１の拡張可能部材であり、
前記装置は更に、前記第１の拡張可能部材の内部に配設され、組織の破壊された部分の少なくとも一部分が前記第１の拡張可能部材の内部に停留されるのを阻止するように構成された第２の拡張可能部材を備える、装置。
【請求項３】
請求項２記載の装置において、
前記第１の拡張可能部材は前記第１の拡張可能部材の遠位端部に配設された複数のアーム部材を含み、
前記複数のアーム部材は、総体として内部体積を画定し、前記第１の拡張可能部材が前記拡張された構成にある状態で当該内部体積に連通する複数の開口部を画定する、装置。
【請求項４】
請求項２記載の装置において、更に、
前記第１の拡張可能部材の遠位端部に配設された切断部分であって、前記第１の拡張可能部材が身体に対して回転されるときに当該身体を破壊するように構成された切断部分を備える、装置。
【請求項５】
請求項２記載の装置において、
前記第２の拡張可能部材は当該第２の拡張可能部材が身体に対して回転されるときに当該身体を破壊するように構成された切断部分を含む、装置。
【請求項６】
請求項２記載の装置において、
前記第１の拡張可能部材は、当該第１の拡張可能部材の遠位端部に配設され、当該第１の拡張可能部材が前記拡張された構成にある状態で内部体積を画定する複数のアーム部材を含み、
前記第２の拡張可能部材は身体の破壊された部分の少なくとも一部分が前記複数のアーム部材によって画定される前記内部体積の内部に停留されるのを阻止するように構成される、装置。
【請求項７】
請求項２記載の装置において、
前記第１の拡張可能部材は複数の開口部を画定する複数のアーム部材を含み、
前記第２の拡張可能部材は複数のリブを含み、前記第１の拡張可能部材がその拡張された構成にあり、且つ、前記第２の拡張可能部材がその拡張された構成にあるときに、当該複数のリブは前記複数のアーム部材に対してオフセット関係で位置決めされるように構成され、それにより、当該複数のアーム部材によって画定される前記複数の開口部は当該複数のリブによって実質的に閉じられる、装置。
【請求項８】
請求項２記載の装置において、
前記第２の拡張可能部材は可撓性膜を含み、
前記第２の拡張可能部材がその拡張された構成にあるときに、前記可撓性膜は、身体の破壊された部分の少なくとも一部分が前記第１の拡張可能部材の内部に停留されるのを阻止するように構成される、装置。
【請求項９】
請求項２記載の装置において、
前記第２の拡張可能部材は可撓性部材を含み、
前記装置は更に、前記可撓性部材に流体的に連通するリザーバであって、当該可撓性部材と当該リザーバとが閉じられた流体システムを形成するリザーバを備える、装置。
【請求項１０】
請求項２記載の装置において、
前記第２の拡張可能部材は可撓性部材を含み、
前記装置は更に、
前記可撓性部材に流体的に連通するリザーバであって、当該可撓性部材と当該リザーバとが閉じられた流体システムを形成するリザーバと、
前記閉じられた流体システムの内部に貯留された流体体積と
を備え、
前記第２の拡張可能部材がその縮退された構成にあるときに前記可撓性部材の内部に貯留される流体体積の一部よりも、当該可撓性部材の内部に貯留される流体体積の一部が大きいときに、前記第２の拡張可能部材はその拡張された構成になる、装置。
【請求項１１】
請求項２記載の装置において、更に、
前記第１の拡張可能部材に結合されたシースを備え、
前記第１の拡張可能部材が前記シースの内腔の内部に配設された状態で身体の内域部分に少なくとも部分的に挿入されるように当該第１の拡張可能部材は構成され、当該身体の当該内域部分の中に少なくとも部分的に挿入された状態で当該シースは近位方向に移動されるように構成され、それにより、当該第１の拡張可能部材はその縮退された構成からその拡張された構成に移動される、装置。
【請求項１２】
請求項２記載の装置において、
前記身体は椎骨である、装置。
【請求項１３】
請求項１記載の装置において、
前記拡張可能部材は、遠位端部を有し、且つ、拡張された構成と縮退された構成とを有する細長い本体を含み、
前記装置は更に、
拡張された構成と縮退された構成とを有する可撓性部材であって、当該可撓性部材の少なくとも一部分が前記細長い本体の前記遠位端部の内部に配設される、可撓性部材と、
前記可撓性部材に流体的に連通するリザーバと
を備え、
前記アクチュエータは前記リザーバに結合され、
前記アクチュエータは前記細長い本体をその縮退された構成とその拡張された構成との間で作動させ、それと同時に、前記リザーバ及び前記可撓性部材の内部に含まれる流体の移動を作動させるように構成されて、当該可撓性部材をその縮退された構成とその拡張された構成との間で作動させる、装置。
【請求項１４】
請求項１３記載の装置において、
前記細長い本体がその縮退された構成にあるときに前記可撓性部材の内部に貯留される流体体積よりも、当該細長い本体がその拡張された構成にあるときに当該可撓性部材の内部に貯留される流体体積は大きい、装置。
【請求項１５】
請求項１３記載の装置において、
前記細長い本体の遠位端部は、当該細長い本体がその拡張された構成にあるとき、前記可撓性部材がその拡張された構成にあるときの当該可撓性部材の遠位端部の外径に実質的に対応する内径を有する、装置。
【請求項１６】
請求項１３記載の装置において、
前記細長い本体がその拡張された構成にあるときに、第１の流体体積は前記リザーバの内部に貯留され、
前記細長い本体がその縮退された構成にあるときに、第２の流体体積は前記リザーバの内部に貯留され、
前記第１の流体体積は前記第２の流体体積よりも小さい、装置。
【請求項１７】
請求項１３記載の装置において、更に、
前記細長い本体に結合されたシースであって、前記細長い本体がその縮退された構成にあり、且つ、当該シースの内腔の内部に配設されるときに椎骨の内域の中に少なくとも部分的に経皮的に挿入されるように構成されるシースを備え、
前記アクチュエータは前記椎骨内に少なくとも部分的に挿入された状態で前記シースを近位方向に移動させるように構成され、それにより、前記細長い本体がその縮退された構成からその拡張された構成に移動される、装置。
【請求項１８】
請求項１３記載の装置において、
前記細長い本体の遠位端部は複数のアームを含み、
前記複数のアームからの各アームは切断部分を有し、
前記切断部分は椎骨内部の組織を破壊するように構成される、装置。
【請求項１９】
請求項１３記載の装置において、
前記細長い本体の遠位端部はニチノール材料で形成される、装置。
【請求項２０】
請求項１３記載の装置において、
前記アクチュエータはハンドルを含む、装置。
【請求項２１】
請求項１記載の装置において、
前記拡張可能部材は、遠位端部を有し、且つ、拡張された構成と縮退された構成とを有する細長い本体を含み、
前記装置は更に、
前記細長い本体の前記遠位端部の内部に配設された遠位端部を有する可撓性部材と、
前記可撓性部材の前記近位端部に結合されたリザーバと
を備え、
前記細長い本体がその拡張された構成にあるときに、第１の流体体積は前記リザーバの内部に貯留され、
前記細長い本体がその縮退された構成にあるときに、第２の流体体積は前記リザーバの内部に貯留され、
前記第１の流体体積は前記第２の流体体積よりも小さい、装置。
【請求項２２】
請求項２１記載の装置において、
前記可撓性部材は拡張された構成と縮退された構成とを有し、
前記アクチュエータは前記リザーバに結合され、
前記アクチュエータは、前記細長い本体の移動を拡張された構成と縮退された構成との間で作動させ、それと同時に、前記可撓性部材をその拡張された構成とその縮退された構成との間で作動させるように構成される、装置。
【請求項２３】
請求項２１記載の装置において、更に、
前記細長い本体に結合されたシースを備え、
前記細長い本体がその縮退された構成にあり、且つ、当該シースの内腔の内部に配設されるときに、前記シースは椎骨の内域部分の中に少なくとも部分的に経皮的に挿入されるように構成され、
前記シースは前記椎骨内に少なくとも部分的に挿入された状態で近位方向に移動されるように構成され、それにより、前記細長い本体はその縮退された構成からその拡張された構成に移動する、装置。
【請求項２４】
請求項２１記載の装置において、
前記細長い本体の遠位端部は複数のアームを含み、
前記複数のアームからの各アームは切断部分を有し、
各切断部分は椎骨内部の組織を破壊するように構成される、装置。
【請求項２５】
請求項２１記載の装置において、
前記可撓性部材の遠位端部は、当該可撓性部材がその拡張された構成にあるとき、前記細長い本体がその拡張された構成にあるときの当該細長い本体の遠位端部の内径に実質的に対応する外径を有する、装置。
【請求項２６】
請求項２１記載の装置において、
前記細長い本体の遠位端部はニチノールで形成される、装置。
【請求項２７】
請求項２１記載の装置において、
前記細長い本体がその縮退された構成にあるときに前記可撓性部材の内部に貯留される流体体積よりも、当該細長い本体がその拡張された構成にあるときに当該可撓性部材の遠位端部の内部に貯留される流体体積は大きい、装置。
【請求項２８】
請求項１記載の装置において、
前記拡張可能部材は第１の拡張可能部材であり、細長い本体を含み、
前記装置は更に、内腔を画定するシースを備え、
前記細長い本体は前記シースの前記内腔の内部に少なくとも部分的に配設され、拡張された構成と縮退された構成とを有する遠位端部を含み、
前記シースの前記内腔の内部に少なくとも部分的に配設された第２の拡張可能部材を備え、当該第２の拡張可能部材の遠位端部は前記細長い本体の前記遠位端部の内部に配設され、
前記拡張可能部材の近位端部に流体的に連通するリザーバを備え、
前記シースは、前記細長い本体の前記遠位端部が前記拡張された構成にあって前記リザーバが第１の流体体積を有する第１の位置と、当該細長い本体の当該遠位端部が前記縮退された構成にあって当該リザーバが第２の流体体積を有する第２の位置との間で作動されるように構成される、装置。
【請求項２９】
請求項２８記載の装置において、
前記細長い本体の遠位端部は複数のアームを含み、
前記複数のアームからの各アームは切断部分を有し、
各切断部分は椎骨内部の組織を破壊するように構成される、装置。
【請求項３０】
請求項２８記載の装置において、
前記細長い本体の前記遠位端部が前記縮退された構成にあるときに、前記シースは椎骨の内域部分の中に少なくとも部分的に経皮的に挿入されるように構成され、
前記シースは前記椎骨内に少なくとも部分的に挿入された状態で作動されるように構成され、それにより、前記細長い本体の前記遠位端部は前記縮退された構成から前記拡張された構成に移動される、装置。
【請求項３１】
請求項２８記載の装置において、
前記細長い本体が前記縮退された構成にあるときに前記拡張可能部材の前記遠位端部の内部に貯留される流体体積よりも、当該細長い本体の当該遠位端部が前記拡張された構成にあるときに前記第２の拡張可能部材の前記遠位端部の内部に貯留される流体体積は大きい、装置。
【請求項３２】
請求項２８記載の装置において、
前記細長い本体の前記遠位端部は、当該細長い本体の当該遠位端部が前記拡張された構成にあるとき、前記第２の拡張可能部材の前記遠位端部が拡張された構成にあるときの当該第２の拡張可能部材の前記遠位端部の外径に実質的に対応する内径を有する、装置。
【請求項３３】
請求項２８記載の装置において、更に、
ハンドルを備え、
前記リザーバは前記ハンドルに結合され、
前記ハンドルは前記シースをその第１の位置とその第２の位置との間で作動させるように構成される、装置。
【請求項３４】
請求項１記載の装置において、
前記拡張可能部材は遠位端部を有する第１の細長い本体を含み、当該遠位端部は複数の切断部分と縮退された構成と拡張された構成とを有し、当該遠位端部が当該拡張された構成にあるときに当該複数の切断部分は生体内部の組織の少なくとも一部分を破壊するように構成され、
前記装置は更に、前記第１の細長い本体に移動可能に結合された第２の細長い本体を備え、
前記アクチュエータは前記第２の細長い本体の近位端部に動作可能に結合され、当該第２の細長い本体をバイアスするように構成され、それにより、前記第１の細長い本体の前記遠位端部は前記拡張された構成になり、
前記アクチュエータは前記第２の細長い本体を移動させるように構成され、それにより、当該アクチュエータが作動されるときに前記第１の細長い本体は前記縮退された構成になる、装置。
【請求項３５】
請求項３４記載の装置において、
前記第２の細長い本体は前記第１の細長い本体の内腔の内部に移動可能に配設されたロッドである、装置。
【請求項３６】
請求項３４記載の装置において、
前記第２の細長い本体は内腔を画定するシースであり、
前記第１の細長い本体は前記シースの前記内腔の内部に少なくとも部分的に配設される、装置。
【請求項３７】
請求項３４記載の装置において、
前記第２の細長い本体は、内腔と、当該第２の細長い本体の遠位端部に開口部とを画定し、
前記内腔は流体を、前記開口部を通して前記第１の細長い本体の前記遠位端部によって画定される内部領域の中に連通するように構成される、装置。
【請求項３８】
請求項３４記載の装置において、
前記第１の細長い本体は内腔を画定し、
前記第２の細長い本体は前記第１の細長い本体の前記内腔の内部に少なくとも部分的に配設され、
前記第２の細長い本体は、前記第１の細長い本体の前記内腔の内径よりも実質的に小さい外径を有する、装置。
【請求項３９】
請求項３４記載の装置において、
前記第１の細長い本体の遠位端は生体内部の組織に貫入するように構成される、装置。
【請求項４０】
請求項３４記載の装置において、
前記複数のアームは、内部領域を画定し、前記第１の細長い本体の遠位端で終端する、装置。
【請求項４１】
請求項３４記載の装置において、
前記第２の細長い本体は内腔を画定するシースであり、
前記第１の細長い本体は、前記シースの前記内腔の内部に少なくとも部分的に配設され、内腔を画定し、
前記装置は更に、前記第１の細長い本体の前記内腔の内部に移動可能で配設可能な細長い部材を備える、装置。
【請求項４２】
請求項１記載の装置において、
前記拡張可能部材は細長い本体を含み、
前記装置は更に、内腔を画定するシースを備え、
前記細長い本体は、前記シースの前記内腔の内部に少なくとも部分的に配設され、遠位端部を有し、当該細長い本体の当該遠位端部は縮退された構成と拡張された構成とを有し、
前記細長い本体の内腔の内部に移動可能に配設されたロッドを備え、
前記アクチュエータは前記シース及び前記ロッドに結合され、
前記アクチュエータは、前記シースを第１の位置にバイアスし、且つ、前記ロッドを第１の位置にバイアスするように構成され、それにより、前記細長い本体の前記遠位端部が前記拡張された構成になる、装置。
【請求項４３】
請求項４２記載の装置において、
前記ロッドは内腔を画定し、
前記ロッドの遠位端部は開口部を画定し、
前記内腔は流体を、前記開口部を通して前記細長い本体の前記遠位端部によって画定される内部領域の中に連通するように構成される、装置。
【請求項４４】
請求項４２記載の装置において、
前記ロッドは前記細長い本体の前記内腔の内径よりも実質的に小さい外径を有する、装置。
【請求項４５】
請求項４２記載の装置において、
前記アクチュエータは前記シース及び前記ロッドを遠位方向に第２の位置に移動させるように構成され、それにより、前記細長い本体の前記遠位端部は前記拡張された構成から前記縮退された構成に移動される、装置。
【請求項４６】
請求項４２記載の装置において、
前記アクチュエータは前記シースを遠位方向に移動させるように構成され、それにより、前記細長い本体の前記遠位端部の少なくとも一部分は前記シースの前記内腔の内部に配設される、装置。
【請求項４７】
請求項４２記載の装置において、
前記アクチュエータは前記ロッドを遠位方向に移動させるように構成され、それにより、前記細長い本体の前記遠位端部は前記拡張された構成から前記縮退された構成に移動される、装置。
【請求項４８】
請求項４２記載の装置において、
前記細長い本体は組織に貫入するように構成された先細りの遠位端を有する、装置。
【請求項４９】
請求項４２記載の装置において、
前記細長い本体の前記遠位端部が生体内部に配設された状態で当該細長い本体の当該遠位端部が回転されるときに、当該生体内部の組織の少なくとも一部分を破壊するように構成された複数のアームを有する、装置。
【請求項５０】
請求項４２記載の装置において、
前記細長い本体の前記遠位端部は生体内に挿入されるように構成され、
前記細長い本体の前記遠位端部は内部領域を画定し、
前記ロッドは内腔を画定し、
前記ロッドの遠位端部は開口部を画定し、
前記内腔は、前記細長い本体の前記遠位端部によって画定される前記内部領域の内部から、前記生体の外部の位置に組織片を連通するように構成される、装置。
【請求項５１】
請求項１記載の装置において、
前記拡張可能部材は細長い本体を含み、
前記細長い本体は縮退された構成と拡張された構成とを有する遠位端部を含み、
前記細長い本体の前記遠位端部が前記拡張された構成にあるときに当該細長い本体の前記遠位端部は内部領域に連通する複数の開口部を画定し、
前記装置は更に、前記細長い本体の内腔の内部に移動可能で配設可能な細長い部材であって、前記遠位端部が前記拡張された構成にあるときに組織片を前記内部領域から前記複数の開口部を通して排除するように構成された細長い部材を備える、装置。
【請求項５２】
請求項５１記載の装置において、更に、シースを備え、
前記細長い本体は前記シースの内腔の内部に少なくとも部分的に配設される、装置。
【請求項５３】
請求項５１記載の装置において、
前記細長い部材の近位端は注射器を前記細長い部材に結合するように構成された取付具を含む、装置。
【請求項５４】
請求項５１記載の装置において、
前記細長い部材の近位端は吸引デバイスを前記細長い部材に結合するように構成された取付具を含む、装置。
【請求項５５】
請求項５１記載の装置において、
前記細長い部材は、内腔と、当該細長い部材の遠位端部に複数の開口部とを画定し、
前記細長い部材の前記内腔は流体を前記細長い本体の前記遠位端部の前記内部領域に連通して、組織片を当該内部領域の外に移動させるように構成される、装置。
【請求項５６】
請求項５１記載の装置において、更に、
シースであって、前記細長い本体が当該シースの内腔の内部に少なくとも部分的に配設される、シースを備え、
前記アクチュエータは前記シースに動作可能に結合され、
前記アクチュエータは前記シースを前記細長い本体の前記遠位端部が前記拡張された構成にある第１の位置にバイアスするように構成され、
前記アクチュエータは前記シースを前記細長い本体の前記遠位端部が前記縮退された構成にある第２の位置に移動させるように構成される、装置。
【請求項５７】
請求項５１記載の装置において、
前記細長い本体の遠位端は開口部を画定し、
前記細長い部材は内腔を画定し、
前記細長い部材の遠位端は前記細長い本体の前記遠位端にある前記開口部に連通する開口部を画定し、
前記細長い部材は流体を当該細長い部材の前記内腔から前記細長い本体の外側の位置に連通するように構成される、装置。
【請求項５８】
請求項５１記載の装置において、
前記細長い本体の前記遠位端部は生体内部の組織を破壊するように構成された複数のアームを含む、装置。
【請求項５９】
拡張された構成にあって身体に対して回転されるときに、当該身体を破壊するように構成された第１の拡張可能部材と、
前記第１の拡張可能部材の内部に配設され、前記身体の破壊された部分の少なくとも一部分が当該第１の拡張可能部材の内部に停留されるのを阻止するように構成された第２の拡張可能部材と
を備える、装置。
【請求項６０】
請求項５９記載の装置において、
前記第１の拡張可能部材は当該第１の拡張可能部材の遠位端部に配設された複数のアーム部材を含み、
前期複数のアーム部材は、総体として内部体積を画定し、前記第１の拡張可能部材が前記拡張された構成にある状態で当該内部体積に連通する複数の開口部を画定する、装置。
【請求項６１】
請求項５９記載の装置において、更に、
前記第１の拡張可能部材の遠位端部に配設された切断部分であって、前記第１の拡張可能部材が身体に対して回転されるときに当該身体を破壊するように構成された切断部分を備える、装置。
【請求項６２】
請求項５９記載の装置において、
前記第２の拡張可能部材は当該第２の拡張可能部材が身体に対して回転されるときに当該身体を破壊するように構成された切断部分を含む、装置。
【請求項６３】
請求項５９記載の装置において、
前記第１の拡張可能部材は、当該第１の拡張可能部材の遠位端部に配設され、当該第１の拡張可能部材が前記拡張された構成にある状態で内部体積を画定する複数のアーム部材を含み、
前記第２の拡張可能部材は身体の破壊された部分の少なくとも一部分が前記複数のアーム部材によって画定される前記内部体積の内部に停留されるのを阻止するように構成される、装置。
【請求項６４】
請求項５９記載の装置において、
前記第１の拡張可能部材は複数の開口部を画定する複数のアーム部材を含み、
前記第２の拡張可能部材は複数のリブを含み、前記第１の拡張可能部材がその拡張された構成にあり、且つ、前記第２の拡張可能部材がその拡張された構成にあるときに、当該複数のリブは前記複数のアーム部材に対してオフセット関係で位置決めされるように構成され、それにより、当該複数のアーム部材によって画定される前記複数の開口部は当該複数のリブによって実質的に閉じられる、装置。
【請求項６５】
請求項５９記載の装置において、
前記第２の拡張可能部材は可撓性膜を含み、
前記第２の拡張可能部材がその拡張された構成にあるときに、前記可撓性膜は、身体の破壊された部分の少なくとも一部分が前記第１の拡張可能部材の内部に停留されるのを阻止するように構成される、装置。
【請求項６６】
請求項５９記載の装置において、
前記第２の拡張可能部材は可撓性部材を含み、
前記装置は更に、前記可撓性部材に流体的に連通するリザーバであって、当該可撓性部材と当該リザーバとが閉じられた流体システムを形成するリザーバを備える、装置。
【請求項６７】
請求項５９記載の装置において、
前記第２の拡張可能部材は可撓性部材を含み、
前記装置は更に、
前記可撓性部材に流体的に連通するリザーバであって、当該可撓性部材と当該リザーバとが閉じられた流体システムを形成するリザーバと、
前記閉じられた流体システムの内部に貯留された流体体積と
を備え、
前記第２の拡張可能部材がその縮退された構成にあるときに前記可撓性部材の内部に貯留される流体体積の一部よりも、当該可撓性部材の内部に貯留される流体体積の一部が大きいときに、前記第２の拡張可能部材はその拡張された構成になる、装置。
【請求項６８】
請求項５９記載の装置において、更に、
前記第１の拡張可能部材に結合されたシースを備え、
前記第１の拡張可能部材が前記シースの内腔の内部に配設された状態で身体の内域部分に少なくとも部分的に挿入されるように当該第１の拡張可能部材は構成され、当該身体の当該内域部分の中に少なくとも部分的に挿入された状態で当該シースは近位方向に移動されるように構成され、それにより、当該第１の拡張可能部材はその縮退された構成からその拡張された構成に移動される、装置。
【請求項６９】
請求項５９記載の装置において、
前記身体は椎骨である、装置。
【請求項７０】
遠位端部を含み、且つ、拡張された構成と縮退された構成とを有する細長い本体と、
拡張された構成と縮退された構成とを有する可撓性部材であって、当該可撓性部材の少なくとも一部分が前記細長い本体の前記遠位端部の内部に配設される、可撓性部材と、
前記可撓性部材に流体的に連通するリザーバと、
前記リザーバに結合されたアクチュエータと
を備え、
前記アクチュエータは前記細長い本体をその縮退された構成とその拡張された構成との間で作動させ、それと同時に、前記リザーバ及び前記可撓性部材の内部に含まれる流体の移動を作動させるように構成されて、当該可撓性部材をその縮退された構成とその拡張された構成との間で作動させる、装置。
【請求項７１】
請求項７０記載の装置において、
前記細長い本体がその縮退された構成にあるときに前記可撓性部材の内部に貯留される流体体積よりも、当該細長い本体がその拡張された構成にあるときに当該可撓性部材の内部に貯留される流体体積は大きい、装置。
【請求項７２】
請求項７０記載の装置において、
前記細長い本体の遠位端部は、当該細長い本体がその拡張された構成にあるとき、前記可撓性部材がその拡張された構成にあるときの当該可撓性部材の遠位端部の外径に実質的に対応する内径を有する、装置。
【請求項７３】
請求項７０記載の装置において、
前記細長い本体がその拡張された構成にあるときに、第１の流体体積は前記リザーバの内部に貯留され、
前記細長い本体がその縮退された構成にあるときに、第２の流体体積は前記リザーバの内部に貯留され、
前記第１の流体体積は前記第２の流体体積よりも小さい、装置。
【請求項７４】
請求項７０記載の装置において、更に、
前記細長い本体に結合されたシースであって、前記細長い本体がその縮退された構成にあり、且つ、当該シースの内腔の内部に配設されるときに椎骨の内域の中に少なくとも部分的に経皮的に挿入されるように構成されるシースを備え、
前記アクチュエータは前記椎骨内に少なくとも部分的に挿入された状態で前記シースを近位方向に移動させるように構成され、それにより、前記細長い本体がその縮退された構成からその拡張された構成に移動される、装置。
【請求項７５】
請求項７０記載の装置において、
前記細長い本体の遠位端部は複数のアームを含み、
前記複数のアームからの各アームは切断部分を有し、
前記切断部分は椎骨内部の組織を破壊するように構成される、装置。
【請求項７６】
請求項７０記載の装置において、
前記細長い本体の遠位端部はニチノール材料で形成される、装置。
【請求項７７】
請求項７０記載の装置において、
前記アクチュエータはハンドルを含む、装置。
【請求項７８】
遠位端部を含み、且つ、拡張された構成と縮退された構成とを有する細長い本体と、
前記細長い本体の前記遠位端部の内部に配設された遠位端部を有する可撓性部材と、
前記可撓性部材の前記近位端部に結合されたリザーバと
を備え、
前記細長い本体がその拡張された構成にあるときに、第１の流体体積は前記リザーバの内部に貯留され、
前記細長い本体がその縮退された構成にあるときに、第２の流体体積は前記リザーバの内部に貯留され、
前記第１の流体体積は前記第２の流体体積よりも小さい、装置。
【請求項７９】
請求項７８記載の装置において、
前記可撓性部材は拡張された構成と縮退された構成とを有し、
前記装置は更に、前記リザーバに結合されたアクチュエータを備え、
前記アクチュエータは、前記細長い本体の移動を拡張された構成と縮退された構成との間で作動させ、それと同時に、前記可撓性部材をその拡張された構成とその縮退された構成との間で作動させるように構成される、装置。
【請求項８０】
請求項７８記載の装置において、更に、
前記細長い本体に結合されたシースを備え、
前記細長い本体がその縮退された構成にあり、且つ、当該シースの内腔の内部に配設されるときに、前記シースは椎骨の内域部分の中に少なくとも部分的に経皮的に挿入されるように構成され、
前記シースは前記椎骨内に少なくとも部分的に挿入された状態で近位方向に移動されるように構成され、それにより、前記細長い本体はその縮退された構成からその拡張された構成に移動する、装置。
【請求項８１】
請求項７８記載の装置において、
前記細長い本体の遠位端部は複数のアームを含み、
前記複数のアームからの各アームは切断部分を有し、
各切断部分は椎骨内部の組織を破壊するように構成される、装置。
【請求項８２】
請求項７８記載の装置において、
前記可撓性部材の遠位端部は、当該可撓性部材がその拡張された構成にあるとき、前記細長い本体がその拡張された構成にあるときの当該細長い本体の遠位端部の内径に実質的に対応する外径を有する、装置。
【請求項８３】
請求項７８記載の装置において、
前記細長い本体の遠位端部はニチノールで形成される、装置。
【請求項８４】
請求項７８記載の装置において、
前記細長い本体がその縮退された構成にあるときに前記可撓性部材の内部に貯留される流体体積よりも、当該細長い本体がその拡張された構成にあるときに当該可撓性部材の遠位端部の内部に貯留される流体体積は大きい、装置。
【請求項８５】
内腔を画定するシースと、
前記シースの前記内腔の内部に少なくとも部分的に配設され、拡張された構成と縮退された構成とを有する遠位端部を含む細長い本体と、
前記シースの前記内腔の内部に少なくとも部分的に配設された拡張可能部材であって、当該拡張可能部材の遠位端部が前記細長い本体の前記遠位端部の内部に配設される拡張可能部材と、
前記拡張可能部材の近位端部に流体的に連通するリザーバと
を備え、
前記シースは、前記細長い本体の前記遠位端部が前記拡張された構成にあって前記リザーバが第１の流体体積を有する第１の位置と、当該細長い本体の当該遠位端部が前記縮退された構成にあって当該リザーバが第２の流体体積を有する第２の位置との間で作動されるように構成される、装置。
【請求項８６】
請求項８５記載の装置において、
前記細長い本体の遠位端部は複数のアームを含み、
前記複数のアームからの各アームは切断部分を有し、
各切断部分は椎骨内部の組織を破壊するように構成される、装置。
【請求項８７】
請求項８５記載の装置において、
前記細長い本体の前記遠位端部が前記縮退された構成にあるときに、前記シースは椎骨の内域部分の中に少なくとも部分的に経皮的に挿入されるように構成され、
前記シースは前記椎骨内に少なくとも部分的に挿入された状態で作動されるように構成され、それにより、前記細長い本体の前記遠位端部は前記縮退された構成から前記拡張された構成に移動される、装置。
【請求項８８】
請求項８５記載の装置において、
前記細長い本体が前記縮退された構成にあるときに前記拡張可能部材の前記遠位端部の内部に貯留される流体体積よりも、当該細長い本体の当該遠位端部が前記拡張された構成にあるときに前記拡張可能部材の前記遠位端部の内部に貯留される流体体積は大きい、装置。
【請求項８９】
請求項８５記載の装置において、
前記細長い本体の前記遠位端部は、当該細長い本体の当該遠位端部が前記拡張された構成にあるとき、前記拡張可能部材の前記遠位端部が拡張された構成にあるときの当該拡張可能部材の前記遠位端部の外径に実質的に対応する内径を有する、装置。
【請求項９０】
請求項８５記載の装置において、更に、
ハンドルを備え、
前記リザーバは前記ハンドルに結合され、
前記ハンドルは前記シースをその第１の位置とその第２の位置との間で作動させるように構成される、装置。
【請求項９１】
遠位端部を有する第１の細長い本体であって、当該遠位端部は複数の切断部分と縮退された構成と拡張された構成とを有し、当該遠位端部が前記拡張された構成にあるときに当該複数の切断部分は生体内部の組織の少なくとも一部分を破壊するように構成された、第１の細長い本体と、
前記第１の細長い本体に移動可能に結合された第２の細長い本体と、
前記第２の細長い本体の近位端部に動作可能に結合され、当該第２の細長い本体をバイアスするように構成され、それにより、前記第１の細長い本体の前記遠位端部は前記拡張された構成になるアクチュエータであって、当該第２の細長い本体を移動させるように構成され、それにより、当該アクチュエータが作動されるときに前記第１の細長い本体が前記縮退された構成になる、アクチュエータと
を備える、装置。
【請求項９２】
請求項９１記載の装置において、
前記第２の細長い本体は前記第１の細長い本体の内腔の内部に移動可能に配設されたロッドである、装置。
【請求項９３】
請求項９１記載の装置において、
前記第２の細長い本体は内腔を画定するシースであり、
前記第１の細長い本体は前記シースの前記内腔の内部に少なくとも部分的に配設される、装置。
【請求項９４】
請求項９１記載の装置において、
前記第２の細長い本体は、内腔と、当該第２の細長い本体の遠位端部に開口部とを画定し、
前記内腔は流体を、前記開口部を通して前記第１の細長い本体の前記遠位端部によって画定される内部領域の中に連通するように構成される、装置。
【請求項９５】
請求項９１記載の装置において、
前記第１の細長い本体は内腔を画定し、
前記第２の細長い本体は前記第１の細長い本体の前記内腔の内部に少なくとも部分的に配設され、
前記第２の細長い本体は、前記第１の細長い本体の前記内腔の内径よりも実質的に小さい外径を有する、装置。
【請求項９６】
請求項９１記載の装置において、
前記第１の細長い本体の遠位端は生体内部の組織に貫入するように構成される、装置。
【請求項９７】
請求項９１記載の装置において、
前記複数のアームは、内部領域を画定し、前記第１の細長い本体の遠位端で終端する、装置。
【請求項９８】
請求項９１記載の装置において、
前記第２の細長い本体は内腔を画定するシースであり、
前記第１の細長い本体は、前記シースの前記内腔の内部に少なくとも部分的に配設され、内腔を画定し、
前記装置は更に、前記細長い本体の前記内腔の内部に移動可能で配設可能な細長い部材を備える、装置。
【請求項９９】
遠位端部を有する第１の細長い本体であって、当該遠位端部は複数の切断部分と縮退された構成と拡張された構成とを有し、当該遠位端部が前記拡張された構成にあるときに当該複数の切断部分は生体内部の組織の少なくとも一部分を破壊するように構成された、第１の細長い本体と、
前記第１の細長い本体に移動可能に結合された第２の細長い本体と、
前記第２の細長い本体の近位端部に結合され、当該第２の細長い本体をバイアスするように構成され、それにより、前記第１の細長い本体の前記遠位端部は前記縮退された構成になるアクチュエータであって、当該第２の細長い本体を移動させるように構成され、それにより、当該アクチュエータが作動されるときに前記第１の細長い本体の前記遠位端部が前記拡張された構成になる、アクチュエータと
を備える、装置。
【請求項１００】
請求項９９記載の装置において、
前記第２の細長い本体は前記第１の細長い本体の内腔の内部に移動可能に配設されたロッドである、装置。
【請求項１０１】
請求項９９記載の装置において、
前記第２の細長い本体は内腔を画定するシースであり、
前記第１の細長い本体は前記シースの前記内腔の内部に少なくとも部分的に配設される、装置。
【請求項１０２】
請求項９９記載の装置において、
前記第２の細長い本体は内腔を画定し、
前記第２の細長い本体の遠位端部は開口部を画定し、
前記内腔は流体を、前記開口部を通して前記第１の細長い本体の前記遠位端部によって画定される内部領域の中に連通するように構成される、装置。
【請求項１０３】
請求項９９記載の装置において、
前記第１の細長い本体は内腔を画定し、
前記第２の細長い本体は前記第１の細長い本体の前記内腔の内部に少なくとも部分的に配設され、
前記第２の細長い本体は、前記第１の細長い本体の前記内腔の内径よりも実質的に小さい外径を有する、装置。
【請求項１０４】
請求項９９記載の装置において、
前記第１の細長い本体の遠位端は生体内部の組織に貫入するように構成される、装置。
【請求項１０５】
請求項９９記載の装置において、
前記複数のアームは、内部領域を画定し、前記第１の細長い本体の遠位端で終端する、装置。
【請求項１０６】
請求項９９記載の装置において、
前記第２の細長い本体の遠位端部は開口部を画定し、
前記第２の細長い本体は、前記第１の細長い本体の前記遠位端部によって画定される内部領域から前記開口部を通して生体の外側の位置に組織片を連通するように構成される、装置。
【請求項１０７】
内腔を画定するシースと、
前記シースの前記内腔の内部に少なくとも部分的に配設され遠位端部を有する細長い本体であって、当該細長い本体の当該遠位端部は縮退された構成と拡張された構成とを有する細長い本体と、
前記細長い本体の内腔の内部に移動可能に配設されるロッドと、
前記シース及び前記ロッドに結合されたアクチュエータであって、当該シースを第１の位置にバイアスし、且つ、当該ロッドを第１の位置にバイアスするように構成され、それにより、前記細長い本体の前記遠位端部が前記拡張された構成になる、アクチュエータと
を備える、装置。
【請求項１０８】
請求項１０７記載の装置において、
前記ロッドは内腔を画定し、
前記ロッドの遠位端部は開口部を画定し、
前記内腔は流体を、前記開口部を通して前記細長い本体の前記遠位端部によって画定される内部領域の中に連通するように構成される、装置。
【請求項１０９】
請求項１０７記載の装置において、
前記ロッドは前記細長い本体の前記内腔の内径よりも実質的に小さい外径を有する、装置。
【請求項１１０】
請求項１０７記載の装置において、
前記アクチュエータは前記シース及び前記ロッドを遠位方向に第２の位置に移動させるように構成され、それにより、前記細長い本体の前記遠位端部は前記拡張された構成から前記縮退された構成に移動される、装置。
【請求項１１１】
請求項１０７記載の装置において、
前記アクチュエータは前記シースを遠位方向に移動させるように構成され、それにより、前記細長い本体の前記遠位端部の少なくとも一部分は前記シースの前記内腔の内部に配設される、装置。
【請求項１１２】
請求項１０７記載の装置において、
前記アクチュエータは前記ロッドを遠位方向に移動させるように構成され、それにより、前記細長い本体の前記遠位端部は前記拡張された構成から前記縮退された構成に移動される、装置。
【請求項１１３】
請求項１０７記載の装置において、
前記細長い本体は組織に貫入するように構成された先細りの遠位端を有する、装置。
【請求項１１４】
請求項１０７記載の装置において、
前記細長い本体の前記遠位端部が生体内部に配設された状態で当該細長い本体の当該遠位端部が回転されるときに、当該生体内部の組織の少なくとも一部分を破壊するように構成された複数のアームを有する、装置。
【請求項１１５】
請求項１０７記載の装置において、
前記細長い本体の前記遠位端部は生体内に挿入されるように構成され、
前記細長い本体の前記遠位端部は内部領域を画定し、
前記ロッドは内腔を画定し、
前記ロッドの遠位端部は開口部を画定し、
前記内腔は、前記細長い本体の前記遠位端部によって画定される前記内部領域の内部から、前記生体の外部の位置に組織片を連通するように構成される、装置。
【請求項１１６】
縮退された構成と拡張された構成とを有する遠位端部を含む細長い本体を備え、
前記細長い本体の前記遠位端部は当該細長い本体の前記遠位端部が前記拡張された構成にあるときに内部領域に連通する複数の開口部を画定し、
前記細長い本体の内腔の内部に移動可能で配設可能な細長い部材であって、前記遠位端部が前記拡張された構成にあるときに組織片を前記内部領域から前記複数の開口部を通して排除するように構成された細長い部材を備える、装置。
【請求項１１７】
請求項１１６記載の装置において、更に、
前記細長い本体は前記シースの内腔の内部に少なくとも部分的に配設される、装置。
【請求項１１８】
請求項１１６記載の装置において、
前記細長い部材の近位端は注射器を前記細長い部材に結合するように構成された取付具を含む、装置。
【請求項１１９】
請求項１１６記載の装置において、
前記細長い部材の近位端は吸引デバイスを前記細長い部材に結合するように構成された取付具を含む、装置。
【請求項１２０】
請求項１１６記載の装置において、
前記細長い部材は、内腔と、当該細長い部材の遠位端部に複数の開口部とを画定し、
前記細長い部材の前記内腔は流体を前記細長い本体の前記遠位端部の前記内部領域に連通して、組織片を当該内部領域の外に移動させるように構成される、装置。
【請求項１２１】
請求項１１６記載の装置において、更に、
シースであって、前記細長い本体が当該シースの内腔の内部に少なくとも部分的に配設される、シースと、
前記シースに動作可能に結合されたアクチュエータであって、前記細長い本体の前記遠位端部が前記拡張された構成にある第１の位置に当該シースをバイアスするように構成され、当該細長い本体の当該遠位端部が前記縮退された構成にある第２の位置に当該シースを移動させるように構成される、アクチュエータと
を備える、装置。
【請求項１２２】
請求項１１６記載の装置において、
前記細長い本体の遠位端は開口部を画定し、
前記細長い部材は内腔を画定し、
前記細長い部材の遠位端は前記細長い本体の前記遠位端にある前記開口部に連通する開口部を画定し、
前記細長い部材は流体を当該細長い部材の前記内腔から前記細長い本体の外側の位置に連通するように構成される、装置。
【請求項１２３】
請求項１１６記載の装置において、
前記細長い本体の前記遠位端部は生体内部の組織を破壊するように構成された複数のアームを含む、装置。